(57)【特許請求の範囲】
【請求項１】
三体以上の同一形状のテーブル体を環状に分離自在に連設した、中央に連設した前記テーブル体の数量と等しい角数の正多角形を呈する開口部を有するテーブルであって、前記テーブル体は、天板部と脚部とから成り、前記天板部は、前記開口部の開口縁となる第一辺部と、この第一辺部と平行で且つ前記第一辺部より短尺な第二辺部と、前記第一辺部の左右夫々の端部に連接する一対の第一連結辺部と、前記第二辺部の左右夫々の端部に連接し且つ前記第一連結辺部より長尺な一対の第二連結辺部とを有する平面視六角形状に形成した構成とし、複数の前記テーブル体を連設する際、連設し合うテーブル体の前記第一連結辺部同士を突き合わせて連設すると、中央に各テーブル体の前記第一辺部を開口縁とした前記開口部を有する第一のテーブル形態になり、この第一のテーブル形態から前記第一辺部が外周縁となるように各テーブル体を夫々１８０°回動し、連設し合うテーブル体の前記第二連結辺部同士を突き合わせて連設すると、前記開口部の開口径が前記第一のテーブル形態時に比して小径な第二のテーブル形態になるように構成したことを特徴とするテーブル。
【請求項２】
前記天板部の前記第一連結辺部と前記第二連結辺部とで形成される夫々の頂部Ａ，Ａ’の角度（θＡ）を下式（１）から求められる角度に設定すると共に、前記第一辺部と前記第一連結辺部とで形成される夫々の頂部Ｂ，Ｂ’の角度（θＢ）と、前記第二辺部と前記第二連結辺部とで形成される夫々の頂部Ｃ，Ｃ’の角度（θＣ）とを下式（２）から求められる角度に設定したことを特徴とする請求項１記載のテーブル。
θＡ＝１８０×（ｎ−２）／ｎ          ・・・式（１）
但し、ｎは前記開口部の角数で３以上の整数
θＢ＝θＣ＝（３６０−θＡ）／２      ・・・式（２）
【請求項３】
三体以上の同一形状のテーブル体を環状に分離自在に連設した、中央に連設した前記テーブル体の数量と等しい角数の正多角形を呈する開口部を有するテーブルであって、前記テーブル体は、天板部と脚部とから成り、前記天板部は、前記開口部の開口縁となる第一辺部と、前記第一辺部の左右夫々の端部に連接する一対の第一連結辺部と、前記第一連結辺部に連接し且つ前記第一連結辺部より長尺な一対の第二連結辺部とを有する平面視五角形状に形成した構成とし、複数の前記テーブル体を連設する際、連設し合うテーブル体の前記第一連結辺部同士を突き合わせて連設すると、中央に各テーブル体の前記第一辺部を開口縁とした前記開口部を有する第一のテーブル形態になり、この第一のテーブル形態から前記第一辺部が外周縁となるように各テーブル体を夫々１８０°回動し、連設し合うテーブル体の前記第二連結辺部同士を突き合わせて連設すると、前記開口部を形成せず平板状の第二のテーブル形態になるように構成したことを特徴とするテーブル。
【請求項４】
前記天板部の前記第一連結辺部と前記第二連結辺部とで形成される夫々の頂部Ａ，Ａ’の角度（θＡ）を下式（１）から求められる角度に設定すると共に、前記第一辺部と前記第一連結辺部とで形成される夫々の頂部Ｂ，Ｂ’の角度（θＢ）を下式（３）から求められる角度に設定したことを特徴とする請求項３記載のテーブル。
θＡ＝１８０×（ｎ−２）／ｎ          ・・・式（１）
但し、ｎは前記開口部の角数で３以上の整数
θＢ＝（３６０−θＡ）／２            ・・・式（３）
【請求項５】
前記天板部は、金属製の板材から成ると共に、前記第一辺部側に、この第一辺部に沿設状態に設けた複数の小孔を設けた構成としたことを特徴とする請求項１〜４のいずれか１項に記載のテーブル。
【発明の詳細な説明】
【技術分野】
【０００１】
本発明は、キャンプ等のアウトドアに使用するテーブルに関するものである。
【背景技術】
【０００２】
キャンプ等で使用するアウトドアテーブルとして、バーベキューを行う際、バーベキューコンロを囲むようにしてテーブルに着き、各自がそれぞれ自分で食材を焼きながら食事をするバーベキュースタイルを楽しむことができるように、特許文献１に示すような、組み立てた際に、中央にバーベキューコンロを配設することができる大径の開口部を形成するテーブルが提案されている。
【０００３】
また、キャンプ等の野外活動では、バーベキュー以外にも様々な食事を楽しむことができ、例えば、鍋やダッチオーブンを使用した鍋料理もその一つである。
【０００４】
鍋料理を行う際は、一般的には、例えば特開２００８−５７９１５に示すような容易に携行が可能なスタンド式のガスコンロが用いられる。
【０００５】
このスタンド式のガスコンロをテーブル上に配置して鍋料理を行うと、鍋の位置が高くなってしまい、料理の際に作業がしづらくなったり食事の際に鍋内のものを取りにくくなってしまうため、このようなスタンド式のガスコンロを用いて鍋料理を行う際も、特許文献１のような、中央にガスコンロを配設することができる開口部を有するテーブルが用いられている。
【先行技術文献】
【特許文献】
【０００６】
【特許文献１】特開２０１３−５６１２９号公報
【発明の概要】
【発明が解決しようとする課題】
【０００７】
しかしながら、特許文献１のテーブルのように、テーブル中央の開口部をバーベキューコンロの使用に適した開口径に設計したものは、火力の強いバーベキューコンロからテーブル周りの人を離すために開口部の開口径を大径に設定して、開口部の中心からテーブル縁までの距離を大きくしている。
【０００８】
そのため、開口部の中央にスタンド式のガスコンロを配置し、このガスコンロ上に鍋を載置して鍋料理をおこなうと、テーブル縁から鍋までの距離が遠くなってしまい、鍋に手が届きにくくなって、非常に使い勝手が悪くなってしまう問題があった。
【０００９】
また、上記の問題を解決するために、バーベキュー用、鍋用の二種類のテーブルを購入し、その都度、使用目的に合ったテーブルを準備することは、費用の面で問題がある。
【００１０】
本発明は、上述のような現状の問題に鑑み、一台でバーベキューにも鍋料理にも適した使用形態になる画期的なテーブルを提供することを目的とする。
【課題を解決するための手段】
【００１１】
添付図面を参照して本発明の要旨を説明する。
【００１２】
三体以上の同一形状のテーブル体１を環状に分離自在に連設した、中央に連設した前記テーブル体１の数量と等しい角数の正多角形を呈する開口部２を有するテーブルであって、前記テーブル体１は、天板部３と脚部４とから成り、前記天板部３は、前記開口部２の開口縁となる第一辺部５と、この第一辺部５と平行で且つ前記第一辺部５より短尺な第二辺部６と、前記第一辺部５の左右夫々の端部に連接する一対の第一連結辺部７と、前記第二辺部６の左右夫々の端部に連接し且つ前記第一連結辺部７より長尺な一対の第二連結辺部８とを有する平面視六角形状に形成した構成とし、複数の前記テーブル体１を連設する際、連設し合うテーブル体１の前記第一連結辺部７同士を突き合わせて連設すると、中央に各テーブル体１の前記第一辺部５を開口縁とした前記開口部２を有する第一のテーブル形態になり、この第一のテーブル形態から前記第一辺部５が外周縁となるように各テーブル体１を夫々１８０°回動し、連設し合うテーブル体１の前記第二連結辺部８同士を突き合わせて連設すると、前記開口部２の開口径が前記第一のテーブル形態時に比して小径な第二のテーブル形態になるように構成したことを特徴とするテーブルに係るものである。
【００１３】
また、前記天板部３の前記第一連結辺部７と前記第二連結辺部８とで形成される夫々の頂部Ａ，Ａ’の角度（θＡ）を下式（１）から求められる角度に設定すると共に、前記第一辺部５と前記第一連結辺部７とで形成される夫々の頂部Ｂ，Ｂ’の角度（θＢ）と、前記第二辺部６と前記第二連結辺部８とで形成される夫々の頂部Ｃ，Ｃ’の角度（θＣ）とを下式（２）から求められる角度に設定したことを特徴とする請求項１記載のテーブルに係るものである。                                                                
θＡ＝１８０×（ｎ−２）／ｎ          ・・・式（１）
但し、ｎは前記開口部２の角数で３以上の整数
θＢ＝θＣ＝（３６０−θＡ）／２      ・・・式（２）
【００１４】
また、三体以上の同一形状のテーブル体１を環状に分離自在に連設した、中央に連設した前記テーブル体１の数量と等しい角数の正多角形を呈する開口部２を有するテーブルであって、前記テーブル体１は、天板部３と脚部４とから成り、前記天板部３は、前記開口部２の開口縁となる第一辺部５と、前記第一辺部５の左右夫々の端部に連接する一対の第一連結辺部７と、前記第一連結辺部７に連接し且つ前記第一連結辺部７より長尺な一対の第二連結辺部８とを有する平面視五角形状に形成した構成とし、複数の前記テーブル体１を連設する際、連設し合うテーブル体１の前記第一連結辺部７同士を突き合わせて連設すると、中央に各テーブル体１の前記第一辺部５を開口縁とした前記開口部２を有する第一のテーブル形態になり、この第一のテーブル形態から前記第一辺部５が外周縁となるように各テーブル体１を夫々１８０°回動し、連設し合うテーブル体１の前記第二連結辺部８同士を突き合わせて連設すると、前記開口部２を形成せず平板状の第二のテーブル形態になるように構成したことを特徴とするテーブルに係るものである。
【００１５】
また、前記天板部３の前記第一連結辺部７と前記第二連結辺部８とで形成される夫々の頂部Ａ，Ａ’の角度（θＡ）を下式（１）から求められる角度に設定すると共に、前記第一辺部５と前記第一連結辺部７とで形成される夫々の頂部Ｂ，Ｂ’の角度（θＢ）を下式（３）から求められる角度に設定したことを特徴とする請求項３記載のテーブルに係るものである。                                                                      
θＡ＝１８０×（ｎ−２）／ｎ          ・・・式（１）
但し、ｎは前記開口部２の角数で３以上の整数
θＢ＝（３６０−θＡ）／２            ・・・式（３）
【００１６】
また、前記天板部３は、金属製の板材から成ると共に、前記第一辺部５側に、この第一辺部５に沿設状態に設けた複数の小孔９を設けた構成としたことを特徴とする請求項１〜４のいずれか１項に記載のテーブルに係るものである。
【発明の効果】
【００１７】
本発明は上述のように構成したから、バーベキューをする際は、バーベキューコンロの使用に適した第一のテーブル形態になり、鍋料理をする際は、開口部の大きさが第一のテーブル形態時の開口部の大きさより小さくなって、開口部の中心からテーブル縁までの距離が短く鍋に手が届き易い第二のテーブル形態になり、一台でバーベキューにも鍋料理にも適したテーブル形態になる画期的なテーブルとなる。
【図面の簡単な説明】
【００１８】
【図１】実施例１の第一のテーブル形態を示す斜視図である。
【図２】実施例１の第一のテーブル形態を示す平面図である。
【図３】実施例１のテーブル体を示す斜視図である。
【図４】実施例１のテーブル体を示す平面図である。
【図５】実施例１の第二のテーブル形態を示す斜視図である。
【図６】実施例１の第二のテーブル形態を示す平面図である。
【図７】実施例１の別例を示す平面図である。
【図８】実施例１の別例を示す平面図である。
【図９】実施例１の別例を示す平面図である。
【図１０】実施例１の要部を示す説明斜視図である。
【図１１】実施例１のテーブル体を示す分解斜視図である。
【図１２】実施例１の収納状態を示す斜視図である。
【図１３】実施例１の使用状態（第一のテーブル形態）を示す説明斜視図である。
【図１４】実施例１の使用状態（第二のテーブル形態）を示す説明斜視図である。
【図１５】実施例１の使用状態の別例を示す平面図である。
【図１６】実施例２の第一のテーブル形態及び第二のテーブル形態を示す平面図である。
【発明を実施するための形態】
【００１９】
好適と考える本発明の実施形態を、図面に基づいて本発明の作用を示して簡単に説明する。
【００２０】
本発明は、複数体（三体以上）のテーブル体１を環状に連設して成るもので、夫々のテーブル体１同士を環状に連設する際、各テーブル体１の第一連結辺部７同士を突き合わせて連設すると、中央に各テーブル体１の第一辺部５が開口縁となる正多角形を呈する開口部２を有する第一のテーブル形態になる。
【００２１】
即ち、例えば、本発明を四体のテーブル体１から成る構成とした場合は、これら四体のテーブル体１の連設し合うテーブル体１同士の第一辺部５を突き合わせて連設すると、中央に各テーブル体１の第一辺部５が開口縁となる正四角形状の開口部２を有する第一のテーブル形態になる。
【００２２】
また、この第一のテーブル形態の状態から、各テーブル体１を、第一辺部５がテーブル外周縁となり、この第一辺部５と対向する第二辺部６が開口部２の開口縁となるように１８０°回動させて、各テーブル体１の第二連結辺部８同士を突き合わせて連設すると、中央に各テーブル体１の第二辺部６が開口縁となる正多角形を呈する開口部２を有する第二のテーブル形態になる。
【００２３】
この第二のテーブル形態の開口部２は、第一辺部５よりも短尺な第二辺部６が開口縁となるから、第一のテーブル形態の開口部２よりも小径な開口部２になる。
【００２４】
即ち、この第二のテーブル形態においては、開口部２が小径になることによって、開口部２の中心からテーブル縁となる第一辺部５までの距離が、第一のテーブル形態における開口部２の中心からテーブル縁となる第二辺部６までの距離よりも短くなり、第一のテーブル形態のときよりも、テーブルに着いた人がテーブル中央部まで手が届き易くなる。
【００２５】
従って、例えば、天板部３の第一辺部５の長さを、第一のテーブル形態にした際の開口部２の大きさがバーベキューコンロを配設するのに適した大きさになるように設定し、第二辺部６の長さを、第二のテーブル形態にした際の開口部２の大きさがガスコンロを配設するのに適した大きさになるように設定すれば、各テーブル体１同士を環状に連設する際、各テーブル体１の第一連結辺部７同士を連設して第一のテーブル形態にすることにより、バーベキューをするのに適したテーブルになり、各テーブル体１の第二連結辺部８同士を連設して第二のテーブル形態にすることにより、鍋料理をするのに適したテーブルになり、一台でバーベキューにも鍋料理にも適したテーブル形態になり、これにより、バーベキューをする場合は、バーベキューコンロから離れて座ることとなり、コンロの火力の影響をほとんど受けず快適にバーベキューを楽しむことができ、また、鍋料理をする際は、鍋に近づいて鍋に容易に手が届く位置に座ることができ、使い勝手の良い極めて実用性に優れた画期的なテーブルとなる。
【実施例１】
【００２６】
本発明の具体的な実施例１について図１〜図１５に基づいて説明する。
【００２７】
本実施例は、複数のテーブル体１から成る組み立て式のテーブルに係るものであり、具体的には、本実施例は、図１，２に示すように、四体の同一形状のテーブル体１から成り、この四体のテーブル体１を環状に連設して組み立てた際、中央に正四角形を呈する開口部２が形成されるように構成したテーブルに係るものである。
【００２８】
以下、本実施例に係る構成各部について詳細に説明する。
【００２９】
本実施例のテーブル体１は、図３に示すように、天板部３と脚部４とから成る構成としている。
【００３０】
本実施例の天板部３は、図４に示すように、金属製（ステンレス製）の板材から成り、組み立てた際に中央に形成される開口部２の開口縁となる第一辺部５と、この第一辺部５と平行で且つ前記第一辺部５より短尺な第二辺部６と、前記第一辺部５の左右夫々の端部に連接する一対の第一連結辺部７と、前記第二辺部６の左右夫々の端部に連接し且つ前記第一連結辺部７より長尺な一対の第二連結辺部８とを有する平面視六角形状に形成した構成としている。
【００３１】
更に具体的に説明すると、第一辺部５の長さは、バーベキューコンロを配設可能な大きさの開口部２を形成し得る長さ、具体的には、５００ｍｍ〜７００ｍｍ（本実施例では６００ｍｍ）に設定し、また、第二辺部６の長さは、この第一辺部５の長さより短尺な長さ、具体的には、３００ｍｍ〜４００ｍｍ（本実施例では３７０ｍｍ）に設定した構成とし、また、この第一辺部５と第二辺部６との対向間隔となる天板部３の幅は、食事用テーブルとして使用できるよう２５０ｍｍ〜３００ｍｍ（本実施例では２６０ｍｍ）に設定した構成としている。
【００３２】
また、第一連結辺部７と第二連結辺部８とで形成される左右夫々の頂部Ａ，Ａ’の角度（θＡ）を下式（１）から求められる角度に設定しており、具体的には、本実施例の開口部２の形状は正四角形、即ち、開口部２の角数ｎ＝４なので、頂部Ａ，Ａ’の角度（θＡ）を９０°に設定した構成としている。                                            
θＡ＝１８０×（ｎ−２）／ｎ          ・・・式（１）
但し、ｎは前記開口部２の角数で３以上の整数
【００３３】
また、第一辺部５と第一連結辺部７とで形成される夫々の頂部Ｂ，Ｂ’の角度（θＢ）と、第二辺部６と第二連結辺部８とで形成される夫々の頂部Ｃ，Ｃ’の角度（θＣ）とを下式（２）から求められる角度に設定しており、具体的には、上記より、θＡ＝９０°なので、頂部Ｂ，Ｂ’の角度（θＢ）及び頂部Ｃ，Ｃ’の角度（θＣ）を夫々１３５°に設定した構成としている。                                                          
θＢ＝θＣ＝（３６０−θＡ）／２      ・・・式（２）
【００３４】
即ち、本実施例は、天板部３の頂部Ａ，Ａ’の角度（θＡ）を９０°に設定することで、四体のテーブル体１を環状に連設する際、第一連結辺部７同士を連設した際は、図３に示すように、隣り合うテーブル体１の第二連結辺部８が一直線上に配設され、また第二連結辺部８同士を連設した際は、図４に示すように、隣り合うテーブル体１の第一連結辺部７が一直線上に配設され、連設部の外周縁に段差が生じず、体裁の良い外形状となるように構成している。
【００３５】
更に、本実施例は、頂部Ｂ，Ｂ’の角度（θＢ）及び頂部Ｃ，Ｃ’の角度（θＣ）を夫々１３５°に設定することで、四体のテーブル体１を環状に連設する際に、第一連結辺部７同士を連設しても、第二連結辺部８同士を連設しても、いずれの場合でも開口部２の形状が正四角形に形成される構成としている。
【００３６】
即ち、本実施例は、四体のテーブル体１を環状に連設する際、連設し合うテーブル体１の第一連結辺部７同士を突き合わせて連設すると、図１，２に示すように、中央に第一辺部５を開口縁とする一辺６００ｍｍの正四角形の大径の開口部２を有する第一のテーブル形態になり、また、この第一のテーブル形態の状態から、第一辺部５が外周縁となるように各テーブル体１を１８０°回動させて、連設し合うテーブル体１の第二連結辺部８同士を突き合わせて連設すると、図５，６に示すように、中央に第二辺部６を開口縁とする一辺３７０ｍｍの正四角形の第一のテーブル形態の開口部２よりも小径の開口部２を有する第二のテーブル形態になる構成としている。
【００３７】
尚、本実施例は、四体のテーブル体１からなる構成としたが、テーブル体１の数は三体、五体、六体でも良い。
【００３８】
例えば、三体のテーブル体１で構成する場合は、各テーブル体１の頂部Ａ，Ａ’の角度（θＡ）は、式（５）より、θＡ＝１８０×（３−２）／３＝６０°、頂部Ｂ，Ｂ’の角度（θＢ）及び頂部Ｃ，Ｃ’の角度（θＣ）は、式（６）より、θＢ＝θＣ＝（３６０−６０）／２＝１５０°に設定する（第一辺部５及び第二辺部６の寸法は適宜設定する）ことで、図７（ａ），（ｂ）に示すように、第一連結辺部７同士を突き合わせて連設すると、中央に大径の正三角形の開口部２を有する第一のテーブル形態となり、第二連結辺部８同士を突き合わせて連設すると、中央に第一のテーブル形態時よりも小径な正三角形の開口部２を有する第二のテーブル形態となるテーブルに構成することができる。
【００３９】
また、例えば、五体のテーブル体１で構成する場合は、各テーブル体１の頂部Ａ，Ａ’の角度（θＡ）は、式（５）より、θＡ＝１８０×（５−２）／５＝１０８°、頂部Ｂ，Ｂ’の角度（θＢ）及び頂部Ｃ，Ｃ’の角度（θＣ）は、式（６）より、θＢ＝θＣ＝（３６０−１０８）／２＝１２６°に設定する（第一辺部５及び第二辺部６の寸法は適宜設定する）ことで、図８（ａ），（ｂ）に示すように、第一連結辺部７同士を突き合わせて連設すると、中央に大径の正五角形の開口部２を有する第一のテーブル形態となり、第二連結辺部８同士を突き合わせて連設すると、中央に第一のテーブル形態時よりも小径な正五角形の開口部２を有する第二のテーブル形態となるテーブルに構成することができる。
【００４０】
また更に、例えば、六体のテーブル体１で構成する場合は、各テーブル体１の頂部Ａ，Ａ’の角度（θＡ）は、式（５）より、θＡ＝１８０×（６−２）／６＝１２０°、頂部Ｂ，Ｂ’の角度（θＢ）及び頂部Ｃ，Ｃ’の角度（θＣ）は、式（６）より、θＢ＝θＣ＝（３６０−１２０）／２＝１２０°に設定する（第一辺部５及び第二辺部６の寸法は適宜設定する）ことで、図９（ａ），（ｂ）に示すように、第一連結辺部７同士を突き合わせて連設すると、中央に大径の正六角形の開口部２を有する第一のテーブル形態となり、第二連結辺部８同士を突き合わせて連設すると、中央に第一のテーブル形態時よりも小径な正六角形の開口部２を有する第二のテーブル形態となるテーブルに構成することができる。
【００４１】
また、本実施例の天板部３は、図４に示すように、第一連結辺部７及び第二連結辺部８の夫々の側端面に、テーブル体１同士を連設する際、連設するテーブル体１同士を位置決めするための凹凸係合部10を設けると共に、この凹凸係合部10によって位置決めしたテーブル体１同士の連設状態を保持するための保持部11を設けた構成としている。
【００４２】
具体的には、図１０に示すように、本実施例の凹凸係合部10は、凸状に形成した凸係合部10Ａ若しくは凹状に形成した凹係合部10Ｂに構成し、左右いずれか一方の第一連結辺部７の側端面に凸係合部10Ａを設け、他方の第一連結辺部７の側端面に凹係合部10Ｂを設け、また、凸係合部10Ａを設けた第一連結辺部７と連接する第二連結辺部８の側端面に凹係合部10Ｂを設け、凹係合部10Ｂを設けた第一連結辺部７と連接する第二連結辺部８の側端面に凸係合部10Ａを設けた構成とし、テーブル体１同士を連設する際、一方のテーブル体１の凸係合部10Ａと、他方のテーブル体１の凹係合部10Ｂとが凹凸嵌合して位置決めされる構成としている。
【００４３】
また、本実施例の保持部11は、ローレットネジを採用し、テーブル体１同士を連設し重合状態となった第一連結辺部７又は第二連結辺部８の側端面を締め付け挟持し、連設したテーブル体１同士を分離不能に保持する構成としている。
【００４４】
また、この保持部11は、第一連結辺部７、第二連結辺部８いずれも、左右一方のみに設けた構成とし、具体的には、凸係合部10Ａを設けた第一連結辺部７と第二連結辺部８の夫々の側端面に設けた構成としている。尚、保持部11は、凹係合部10Ｂを設けた第一連結辺部７と第二連結辺部８の側端面に設けた構成としても良い。
【００４５】
また、本実施例の天板部３は、図１１に示すように、裏面側に後述する脚部４を着脱自在に係止する脚部係止部12を設けた構成としている。
【００４６】
具体的には、天板部３裏面に、この天板部３の幅方向に架設状態に補強リブ13を設け、この補強リブ13の第一辺部５側と第二辺部６側とにＬ字状溝を対向状態に設け、このＬ字状溝を脚部係止部12とした構成としている。
【００４７】
また更に、本実施例の天板部３は、第一辺部５側に、この第一辺部５に沿設状態に設けた複数の小孔９を設けた構成としている。
【００４８】
具体的には、小孔９は、天板部３の幅方向に細長い長孔に形成し、天板部３の第一辺部５の長さ方向に沿って並設状態に設けた構成としている。
【００４９】
即ち、本実施例の天板部３は、この小孔９を第一辺部５側に設けることにより、この第一辺部５が開口縁となる開口部２にバーベキューコンロを配設した際、このバーベキューコンロから発せられる熱をこの小孔９の開口縁から放熱し、天板部３の第二辺部６側にバーベキューコンロの熱を伝えにくくして、天板部３が熱くなり過ぎて使用しづらくなることを防止した構成としている。尚、本実施例では、小孔９を天板部３の第一辺部５側のみに設けた構成としたが、例えば、第一辺部５と第二辺部６との両側に設けた構成としても良く、また、全面に小孔９を形成した構成、即ちパンチングメタルで天板部３を構成しても良い。
【００５０】
また、本実施例の脚部４は、金属製（ステンレス製）の線材（棒材）を所定形状に折曲形成した構成とし、具体的には、図１１に示すように、天板部３の第一辺部５側の脚部係止部12に係止する第一辺部側係止部14と、この第一辺部側係止部14と平行に配設し、第二辺部６側の脚部係止部12に係止する第二辺部側係止部15と、一端を第一辺部側係止部14に連設し他端を第二辺部側係止部15に連設し、下方に向けて突出状態に設けたＵ字状（Ｖ字状若しくはコ字状でも良い）に形成した一対の接地部16とから成る構成としている。
【００５１】
また、本実施例の脚部４は、接地部16の弾性変形により第一辺部側係止部14と第二辺部側係止部15との対向間隔を広狭自在にし得る構成とし、脚部４を天板部３の脚部係止部12に取り付ける際、接地部16を弾性変形させて、第一辺部側係止部14と第二辺部側係止部15との対向間隔を広げる若しくは狭めた状態で夫々を脚部係止部12に係合させ、この係合状態で接地部16を弾性変形させている力を加えることを止めると、接地部16の弾性復帰により第一辺部側係止部14及び第二辺部側係止部15が各脚部係止部12に係止する構成とし、本実施例では、天板部３の第一辺部５側の脚部係止部12と第二辺部６側の脚部係止部12との対向間隔を、第一辺部側係止部14と第二辺部側係止部15の対向間隔よりも広い対向間隔で設け、脚部４を天板部３に取り付ける際は、接地部16を弾性変形させて、第一辺部側係止部14と第二辺部側係止部15との対向間隔を広げ、接地部16の弾性復帰により第一辺部側係止部113と第二辺部側係止部15との間に閉じ付勢が生じ、この閉じ付勢により第一辺部側係止部14及び第二辺部側係止部15が脚部係止部12に係止する構成としている。
【００５２】
また、本実施例の脚部４は、図１２に示すように、分離した各テーブル体１を重ね合わせ状態にして、接地部16内の空間に収納し得る構成として、収納形態がコンパクトで、持ち運びし易く、収納場所も取らない使い勝手の良いテーブルになる構成としている。
【００５３】
本実施例は上述のように構成したから、バーベキューをする際は、各テーブル体１を第一連結辺部７で連設して、図１３に示すように、バーベキューコンロの使用に適した開口部２の大きい第一のテーブル形態に組み立てることで、テーブルに着いた際にバーベキューコンロから離れて座ることとなり、コンロの火力の影響をほとんど受けず快適にバーベキューを楽しむことができ、また、鍋料理をする際は、各テーブル体１を第二連結辺部８で連設して、図１４に示すように、スタンド式ガスコンロの使用に適した開口部２の小さい第二のテーブル形態に組み立てることで、鍋に近づいて鍋に容易に手が届く位置に座ることができ、使い勝手が非常に良くなる。
【００５４】
このように、本実施例は、一台でバーベキューにも鍋料理にも適したテーブル形態になる極めて実用性に優れた画期的なテーブルとなる。
【００５５】
また、本実施例は、更に三体のテーブル体１を用い、七体のテーブル体１を使用すれば、図１５に示すような、第一のテーブル形態と第二のテーブル形態を連設したテーブル形態に連設することも可能であり、バーベキューと鍋料理を一緒に行うこともできる画期的なテーブルとなる。
【実施例２】
【００５６】
本発明の具体的な実施例２について図１６に基づいて説明する。
【００５７】
本実施例は、実施例１において、テーブル体１を構成する天板部３を、第二辺部６のない平面視五角形に形成した場合である。
【００５８】
具体的には、本実施例の天板部３は、組み立てた際に中央に形成される開口部２の開口縁となる第一辺部５と、前記第一辺部５の左右夫々の端部に連接する一対の第一連結辺部７と、前記第一連結辺部７に連接し且つ前記第一連結辺部７より長尺な一対の第二連結辺部８とを有する平面視五角形状に形成した構成としている。
【００５９】
更に具体的に説明すると、第一辺部５の長さは、バーベキューコンロを配設可能な大きさの開口部２を形成し得る長さ、具体的には、５００ｍｍ〜７００ｍｍ（本実施例では６００ｍｍ）に設定した構成としている。
【００６０】
また、第一連結辺部７、第二連結辺部８は適宜な寸法に設定し、第一連結辺部７と第二連結辺部８とで形成される左右夫々の頂部Ａ，Ａ’の角度（θＡ）を下式（１）から求められる角度に設定しており、具体的には、本実施例の開口部２の形状は正四角形、即ち、開口部２の角数ｎ＝４なので、頂部Ａ，Ａ’の角度（θＡ）を９０°に設定した構成としている。                                                                        
θＡ＝１８０×（ｎ−２）／ｎ          ・・・式（１）
但し、ｎは前記開口部２の角数で３以上の整数
【００６１】
また、第一辺部５と第一連結辺部７とで形成される夫々の頂部Ｂ，Ｂ’の角度（θＢ）を下式（３）から求められる角度に設定しており、具体的には、上記より、θＡ＝９０°なので、頂部Ｂ，Ｂ’の角度（θＢ）を１３５°に設定した構成としている。          
θＢ＝（３６０−θＡ）／２            ・・・式（３）
【００６２】
即ち、本実施例は、天板部３の頂部Ａ，Ａ’の角度（θＡ）を９０°に設定することで、四体のテーブル体１を環状に連設する際、第一連結辺部７同士を連設した際は、隣り合うテーブル体１の第二連結辺部８が一直線上に配設され、また第二連結辺部８同士を連設した際は、隣り合うテーブル体１の第一連結辺部７が一直線上に配設され、連設部の外周縁に段差が生じず、体裁の良い外形状となるように構成している。
【００６３】
更に、本実施例は、頂部Ｂ，Ｂ’の角度（θＢ）を１３５°に設定することで、第一連結辺部７同士を連設して四体のテーブル体１を環状に連設すると、中央に正四角形の開口部２が形成され、第二連結辺部８同士を連設して四体のテーブル体１を連設すると、開口部２を形成せず、各天板部３が一体化して平板状の天板を形成する構成としている。
【００６４】
即ち、本実施例は、四体のテーブル体１を環状に連設する際、連設し合うテーブル体１の第一連結辺部７同士を突き合わせて連設すると、図１６（ａ）に示すように、中央に第一辺部５を開口縁とするバーベキューコンロの配設に適した大きさ、具体的には一辺６００ｍｍの正四角形の開口部２を有するバーベキューに適した第一のテーブル形態になり、また、この第一のテーブル形態の状態から、第一辺部５が外周縁となるように各テーブル体１を１８０°回動させて、連設し合うテーブル体１の第二連結辺部８同士を突き合わせて連設すると、図１６（ｂ）に示すように、開口部２を形成せず一般的な平板状の天板を形成する第二のテーブル形態になる構成としている。
【００６５】
その余の構成は、実施例１と同様である。
【００６６】
尚、本発明は、本実施例に限られるものではなく、各構成要件の具体的構成は適宜設計し得るものである。
【符号の説明】
【００６７】
１  テーブル体
２  開口部
３  天板部
４  脚部
５  第一辺部
６  第二辺部
７  第一連結辺部
８  第二連結辺部
９  小孔
【図１】
0005909221.tif 000002
【図２】
0005909221.tif 000003
【図３】
0005909221.tif 000004
【図４】
0005909221.tif 000005
【図５】
0005909221.tif 000006
【図６】
0005909221.tif 000007
【図７】
0005909221.tif 000008
【図８】
0005909221.tif 000009
【図９】
0005909221.tif 000010
【図１０】
0005909221.tif 000011
【図１１】
0005909221.tif 000012
【図１２】
0005909221.tif 000013
【図１３】
0005909221.tif 000014
【図１４】
0005909221.tif 000015
【図１５】
0005909221.tif 000016
【図１６】
0005909221.tif 000017